(57)【要約】【課題】複数の人が受信機を共有する場合であっても、所望の番組を容易に選択できるようにする。【解決手段】メインコントローラ２１は、メモリ１５に、ユーザの個別情報としてのユーザ名と各ユーザの番組情報とを記憶させる。ユーザがユーザ名を選択すると、メインコントローラ２１は、これに応答して外部メモリＩ／Ｆ２９を制御し、メモリ１５から、選択されたユーザの番組情報を読み出す。メインコントローラ２１は、読み出した番組情報を用いて個別番組表を作成する。メインコントローラ２１は、作成した個別番組表を映像出力装置１４の受像機に表示させる。【選択図】  図１
2004242247.tif 000002
【特許請求の範囲】
【請求項１】
デジタル放送の信号を受信するデジタル放送受信機において、
視聴者に個別の視聴者識別情報と前記視聴者の視聴候補の番組の番組情報とを対応させて予め記憶する記憶手段と、
前記視聴者識別情報の指定を受け付けて、受け付けた視聴者識別情報に対応する番組情報を前記記憶手段から読み出す読み出し手段と、
前記読み出し手段が読み出した番組情報に基づいて、表示装置に前記視聴候補の番組を表示させる番組表示手段と、
前記表示装置に表示された番組候補のなかから特定された番組の特定情報を受け付けて番組を特定する番組特定手段と、
前記番組特定手段が特定した番組のコンテンツを受信して出力するコンテンツ出力手段と、を備えた、
ことを特徴とするデジタル放送受信機。
【請求項２】
番組の案内情報が多重化されたデジタル放送の信号から、前記案内情報を取り出し、取り出した案内情報に基づいて、前記表示装置に番組案内を表示させる番組案内表示手段と、
前記表示装置に表示された番組案内に従って選択された新たな番組の放送に係る情報を番組情報として受け付ける番組情報受け付け手段と、
前記番組情報受け付け手段が受け付けた番組情報を前記視聴者識別情報と対応させて前記記憶手段に書き込む書き込み手段と、を備えた、
ことを特徴とする請求項１に記載のデジタル放送受信機。
【請求項３】
装着部を備え、
前記記憶手段は、前記装着部に着脱自在な記録媒体から構成される、
ことを特徴とする請求項１又は２に記載のデジタル放送受信機。
【請求項４】
前記番組表示手段は、前記視聴候補の番組を、優先順位を付与して前記表示装置に表示させるものである、
ことを特徴とする請求項１乃至３のいずれか１項に記載のデジタル放送受信機。
【発明の詳細な説明】
【０００１】
【発明の属する技術分野】
本発明は、デジタル放送受信機に関する。
【０００２】
【従来の技術】
ＣＳ（Ｃｏｍｍｕｎｉｃａｔｉｏｎｓ  Ｓａｔｅｌｌｉｔｅ：通信衛星）デジタル放送のような多チャンネルデジタル放送では、視聴者（ユーザ）の番組選択における操作を容易にするために、電子番組表（Ｅｌｅｃｔｒｏｎｉｃ  Ｐｒｏｇｒａｍ  Ｇｕｉｄｅ：ＥＰＧ）が用意されている（例えば特許文献１参照）。ＥＰＧは、電波を介して送信される番組表や放送内容のプログラムのデータをいう。放送受信機は、このＥＰＧをディスプレイに表示させる。視聴者は、表示されたＥＰＧを見ながらリモコンを操作し、表示されたＥＰＧの中から視聴したい番組を選択する。このように、ＥＰＧを利用して視聴したい番組を選択することにより、操作が簡略化される。
【０００３】
このデジタル放送は、家庭で用いられる据え置き型受信機又は車載用の移動体向け受信機によって受信される。２つの受信機のディスプレイを比較すると、移動体向け受信機の表示画面は、据え置き型受信機のものよりも小さい。
【０００４】
据え置き型受信機のように大きな表示画面で、ＥＰＧを利用して選局操作を行う場合は、チャネルリストのスクロールを１，２回行えば、所望のチャネルを選局することができる。従って、据え置き型受信機では、操作は容易となる。
【０００５】
一方、移動体向け受信機では、表示画面が小さいため、所望のチャネルを選局するのに、ＥＰＧを利用したとしてもスクロールする回数は増える。このため、移動体向け受信機では、操作が煩雑になる。このように、画面が小さくなるに従って、所望のチャネルを選局する操作回数は増え、選局操作は煩雑になる。
【０００６】
その解決策として、着脱可能な記憶媒体に選局すべきチャンネルと該チャンネルの選局日時とを示す選局データを記憶媒体に記憶し、記憶した選局データを用いて所望のチャネルを選局するようにしたものがある（例えば、特許文献２参照）。
【０００７】
【特許文献１】
特開２００１−１５７１３６号公報（第５頁−８頁、図１−２）
【特許文献２】
特開２００２−３１４８９０号公報（第３−４頁、図２−４）
【０００８】
【発明が解決しようとする課題】
しかし、家族などで同じ受信機を使用する場合、各個人によって好みの番組は異なってくる。従って、家族が同じ受信機を共用する場合、記憶媒体を用いたとしても、まず、送信されたＥＰＧを表示装置に表示させて、このＥＰＧから各視聴者が番組の内容を絞り込む必要がある。即ち、記憶媒体に記憶された選局データを有効に利用することができず、視聴者の操作回数は増え、操作性が低下する。
【０００９】
本発明は、このような従来の問題点に鑑みてなされたもので、所望の番組の容易な選択を可能とするデジタル放送受信機を提供することを目的とする。
【００１０】
【課題を解決するための手段】
この目的を達成するため、本発明の観点に係るデジタル放送受信機は、
デジタル放送の信号を受信するデジタル放送受信機において、
視聴者に個別の視聴者識別情報と前記視聴者の視聴候補の番組の番組情報とを対応させて予め記憶する記憶手段と、
前記視聴者識別情報の指定を受け付けて、受け付けた視聴者識別情報に対応する番組情報を前記記憶手段から読み出す読み出し手段と、
前記読み出し手段が読み出した番組情報に基づいて、表示装置に前記視聴候補の番組を表示させる番組表示手段と、
前記表示装置に表示された番組候補のなかから特定された番組の特定情報を受け付けて番組を特定する番組特定手段と、
前記番組特定手段が特定した番組のコンテンツを受信して出力するコンテンツ出力手段と、を備えたものである。
【００１１】
番組の案内情報が多重化されたデジタル放送の信号から、前記案内情報を取り出し、取り出した案内情報に基づいて、前記表示装置に番組案内を表示させる番組案内表示手段と、
前記表示装置に表示された番組案内に従って選択された新たな番組の放送に係る情報を番組情報として受け付ける番組情報受け付け手段と、
前記番組情報受け付け手段が受け付けた番組情報を前記視聴者識別情報と対応させて前記記憶手段に書き込む書き込み手段と、を備えてもよい。
【００１２】
装着部を備え、
前記記憶手段は、前記装着部に着脱自在な記録媒体から構成されるものであってもよい。
【００１３】
前記番組表示手段は、前記視聴候補の番組を、優先順位を付与して前記表示装置に表示させるものであってもよい。
【００１４】
【発明の実施の形態】
以下、本発明の実施の形態に係るデジタル放送受信機を図面を参照して説明する。
本実施の形態に係るデジタル放送受信機の構成を図１に示す。
本実施の形態に係るデジタル放送受信機１は、電波受信装置１１と、放送信号処理部１２と、音声出力装置１３と、映像出力装置１４と、メモリ１５と、入力装置１６と、からなる。
【００１５】
このデジタル放送受信機１は、デジタル放送の放送電波を受信して、映像信号と音声信号とを出力するものである。尚、デジタル放送受信機１は、部屋に据え置く据え置き型のものであっても、車のような移動体に搭載される移動体向けのものであってもよい。
【００１６】
電波受信装置１１は、デジタル放送の放送電波を受信して、放送電波を放送信号に変換して放送信号処理部１２に出力するものであり、アンテナ等によって構成される。
【００１７】
この放送電波は、衛星放送、又は地上波放送のものであり、複数のチャネルの映像データ、音声データ等を含む。この放送電波は、デジタル放送の送信装置（図示せず）から送出される。
【００１８】
この送信装置は、付加データと映像データと音声データとを多重化してＴＳ（Ｔｒａｎｓｐｏｒｔ  Ｓｔｒｅａｍ）信号を生成し、生成したＴＳ信号にデスクランブル処理、変調処理を施して放送電波を生成する。
【００１９】
ここで付加データとは、ＰＳＩ（Ｐｒｏｇｒａｍ  Ｓｐｅｃｉｆｉｃ  Ｉｎｆｏｍａｔｉｏｎ：番組特定情報）、ＳＩ（Ｓｅｒｖｉｃｅ  Ｉｎｆｏｍａｔｉｏｎ：番組配列情報）等のような、デジタル放送に付属したデータである。ＰＳＩは、放送信号処理部１２が、チャネルを構成する要素（符号化された映像データ、音声データ、データコンポーネント等）をＴＳ信号から抜き出すための情報である。ＳＩは、ＥＰＧ（電子番組表）を作成するための情報である。
【００２０】
音声出力装置１３は、スピーカのように、放送信号処理部１２のオーディオデコーダ２５から供給された音声信号に基づいて音声を出力するものである。
【００２１】
映像出力装置１４は、放送信号処理部１２のミキシングユニット２８から供給された映像信号に基づいて映像を表示するものであり、映像を表示するための受像機を備える。
【００２２】
メモリ１５は、放送信号処理部１２に着脱自在な記憶媒体であり、複数のユーザの各個別情報を記憶する。このユーザの個別情報は、ユーザ名と番組情報とを含む。ユーザの番組情報は、ユーザのお好みの番組、即ち、ユーザの視聴候補の番組を示すものであり、図２に示すように、番組のタイトル、チャネル、放送日時、番組の優先順位の情報を含む。
【００２３】
番組の優先順位は、ユーザがよく視聴する番組を選択できるように各番組に付与されるものであり、番組は、ユーザ用として個別に編集された個別番組表に、優先順位に従って表示される。
【００２４】
入力装置１６は、リモコン（リモートコントローラ）等のようにユーザがデータを入力するためのものである。入力装置１６は、通常、ユーザがテレビ視聴のためのチャンネル操作を行うためのキー、例えば、電源ＯＮ／ＯＦＦキーとチャンネル選択キーとを備える。また、入力装置１６は、さらに、ＥＰＧキー１６１と、十字キー１６２と、決定ボタン１６３と、を備える。
【００２５】
ＥＰＧキー１６１は、映像出力装置１４にＥＰＧを表示させるためのものである。ＥＰＧキー１６１は、例えば、押す度に、ＥＰＧと、このＥＰＧに基づいて作成されたユーザの個別番組表と、を交互に表示するように構成される。
【００２６】
十字キー１６２は、映像出力装置１４に表示されたカーソルを移動させるためのものであり、上下左右の４方向に押し込むことが可能である。
【００２７】
決定ボタン１６３は、映像出力装置１４に表示された項目のうち、カーソルが位置する項目の選択を決定するためのものである。
【００２８】
放送信号処理部１２は、電波受信装置１１から供給された放送信号の信号処理を行って、放送信号から映像信号と音声信号とを取り出し、取り出した映像信号、音声信号を、それぞれ、映像出力装置１４、音声出力装置１３に出力するものである。また、放送信号処理部１２は、メモリ１５と入力装置１６との間でデータの入出力を行う。
【００２９】
放送信号処理部１２は、メインコントローラ２１と、チューナ２２と、復調部２３と、デマルチプレクサ２４と、オーディオデコーダ２５と、ビデオデコーダ２６と、ＯＳＤ（Ｏｎ  Ｓｃｒｅｅｎ  Ｄｉｓｐｌａｙ）制御部２７と、ミキシングユニット２８と、外部メモリインターフェイス（以下、「外部メモリＩ／Ｆ」と記す。）２９と、を具備する。
【００３０】
メインコントローラ２１は、入力装置１６からの入力（ユーザ入力）に応じて必要な各装置の制御や演算処理等を行い、デジタル放送受信機１全体の制御を担う。
【００３１】
具体的には、メインコントローラ２１は、デマルチプレクサ２４を制御するとともに、デマルチプレクサ２４から供給された付加データを解析する。そして、メインコントローラ２１は、解析の結果、ＯＳＤ制御部２７に、ＯＳＤ（グラフィック）表示に必要な要素データを供給する。
【００３２】
また、メインコントローラ２１は、ユーザが選択したチャネル情報が入力装置１６から供給されると、チューナ２２と復調部２３とにチャネル情報を出力して、チューナ２２と復調部２３とを制御する。
【００３３】
また、メインコントローラ２１は、外部メモリＩ／Ｆ２９を制御してメモリ１５からのユーザの個別情報の読み出し処理、メモリ１５への書き込み処理を実行する。
【００３４】
また、メインコントローラ２１は、ユーザの個別情報の新規登録、更新、削除の各処理を実行する。
【００３５】
チューナ２２は、メインコントローラ２１に制御されて、電波受信装置１１が受信した複数の放送信号の中から１つの放送局のチャネルを選局して検波するものである。チューナ２２は、検波した信号を復調部２３に出力する。
【００３６】
復調部２３は、メインコントローラ２１に制御されて、チューナ２２の出力信号から、ＴＳ信号を復調するものであり、復調したＴＳ信号をデマルチプレクサ２４に出力する。
【００３７】
デマルチプレクサ２４は、メインコントローラ２１に制御されて、ＴＳ信号から、映像データと音声データと付加データとを分離する。デマルチプレクサ２４は、分離した映像データをビデオデコーダ２６へ供給し、音声データをオーディオデコーダ２５へ供給し、付加データをメインコントローラ２１へ供給する。
【００３８】
オーディオデコーダ２５は、デマルチプレクサ２４から供給された音声データをデコードして音声信号を生成するものであり、生成した音声信号を音声出力装置１３に出力する。
【００３９】
ビデオデコーダ２６は、デマルチプレクサ２４から供給された映像データをデコードして動画のような映像信号を生成するものであり、生成した映像信号をミキシングユニット２８に出力する。
【００４０】
ＯＳＤ制御部２７は、メインコントローラ２１から要素データが供給され、供給された要素からグラフィカルな静止画信号（グラフィック信号）を生成するものである。ＥＰＧのデータもメインコントローラ２１から供給され、ＯＳＤ制御部２７は、供給されたＥＰＧのデータを加工する。そして、ＯＳＤ制御部２７は、ＥＰＧを含むグラフィック信号をミキシングユニット２８に出力する。
【００４１】
ミキシングユニット２８は、ビデオデコーダ２６から供給された映像信号とＯＳＤ制御部２７からのグラフィック信号とを合成するものであり、合成した映像信号を映像出力装置１４に出力する。
【００４２】
外部メモリＩ／Ｆ２９は、メインコントローラ２１に制御されて、メモリ１５へのデータの書き込みとメモリ１５からのデータの読み出しを行うものである。外部メモリＩ／Ｆ２９は、メモリ１５が装着されているかどうかを検出する検出手段を備える。
【００４３】
次に本実施の形態に係るデジタル放送受信機１の動作を説明する。
電波受信装置１１は、デジタル放送の電波を受信する。電波受信装置１１は、受信した電波を放送信号に変換して放送信号処理部１２に送出する。
【００４４】
ユーザが、入力装置１６を操作してチャネルを選択すると、メインコントローラ２１は、これに応答して、このチャネル情報を、チューナ２２と復調部２３とデマルチプレクサ２４とに供給する。
チューナ２２は、供給されたチャネル情報に基づいて、電波受信装置１１から送出された複数のチャネルのうちの１つのチャネルを選局し、選局したチャネルの放送信号を検波する。そして、チューナ２２は、検波した信号を復調部２３に出力する。
【００４５】
復調部２３は、チューナ２２の出力信号からＴＳ信号を復調し、復調したＴＳ信号をデマルチプレクサ２４に供給する。
【００４６】
デマルチプレクサ２４は、復調されたＴＳ信号から付加データと映像データと音声データとを分離する。デマルチプレクサ２４は、分離した付加データをメインコントローラ２１に供給する。
メインコントローラ２１は、付加データが供給されると、この付加データを解析し、付加データに含まれるＰＳＩとＳＩとを取り出す。そして、メインコントローラ２１は、デマルチプレクサ２４にＰＳＩを供給する。
【００４７】
デマルチプレクサ２４は、供給されたＰＳＩに基づいて所望のチャネルの映像データ、音声データを取り出し、取り出した映像データ、音声データを、それぞれ、ビデオデコーダ２６、オーディオデコーダ２５に供給する。
【００４８】
オーディオデコーダ２５は、デマルチプレクサ２４から供給された音声データをデコードして音声信号を生成し、生成した音声信号を音声出力装置１３に出力する。音声出力装置１３は、オーディオデコーダ２５から出力された音声信号に従って音声を送出する。
【００４９】
ビデオデコーダ２６は、デマルチプレクサ２４から供給された映像データをデコードして映像信号を生成し、生成した映像信号をミキシングユニット２８に出力する。
【００５０】
ミキシングユニット２８は、ビデオデコーダ２６から供給された映像信号を映像出力装置１４に出力する。映像出力装置１４は、ミキシングユニット２８から供給された映像信号に基づいて受像機に映像を表示する。
【００５１】
一方、メインコントローラ２１は、ＳＩに基づいてＥＰＧを作成するのに必要なデータを作成し、このデータをＯＳＤ制御部２７に供給する。ＯＳＤ制御部２７は、メインコントローラ２１から供給されたデータをＥＰＧのデータに加工する。
ＯＳＤ制御部２７は、加工したＥＰＧのデータをミキシングユニット２８に出力する。ＥＰＧを表示させる場合、ミキシングユニット２８は、このＥＰＧのデータを映像出力装置１４に出力する。映像出力装置１４は、ＥＰＧを受像機に表示させる。
【００５２】
次に、メモリ１５が外部メモリＩ／Ｆ２９に装着されたまま、電源がオンされた場合、あるいは、電源オンの状態でメモリ１５が外部メモリＩ／Ｆ２９に装着された場合、外部メモリＩ／Ｆ２９は、メモリ１５の装着を検知する。
【００５３】
外部メモリＩ／Ｆ２９が、メモリ１５の装着を検知すると、メインコントローラ２１は、これに応答して、メモリ１５に記憶されているユーザの個人情報の読み出し処理を実行する。
【００５４】
この読み出し処理の内容を図３のフローチャートに基づいて説明する。
メインコントローラ２１は、外部メモリＩ／Ｆ２９を制御してメモリ１５から、すべてのユーザ名を読み出す（ステップＳ１１）。
【００５５】
メインコントローラ２１は、ＯＳＤ制御部２７を制御してユーザ名の一覧を表示させる（ステップＳ１２）。
【００５６】
ここで、入力装置１６から、ユーザによって選択されたユーザ名の情報が供給されると、メインコントローラ２１は、これに応答して、選択されたユーザの番組情報がメモリ１５に記憶されているか否かを判定する（ステップＳ１３）。
【００５７】
選択されたユーザの番組情報が記憶されていない場合（ステップＳ１３においてＮｏ）、メインコントローラ２１は、映像出力装置１４を制御して、ユーザの番組情報は未登録である旨を表示させる（ステップＳ１４）。そして、メインコントローラ２１は、この読み出し処理を終了させ、後述する更新処理を実行する。
【００５８】
選択されたユーザの番組情報が記憶されている場合（ステップＳ１３においてＹｅｓ）、メインコントローラ２１は、外部メモリＩ／Ｆ２９を制御して、選択されたユーザの番組情報をメモリ１５から読み出す（ステップＳ１５）。
【００５９】
そして、メインコントローラ２１は、メモリ１５から読み出した番組情報に基づいて、ユーザの個別番組表を作成し、映像出力装置１４に、作成した個別番組表を表示させる（ステップＳ１６）。
【００６０】
メインコントローラ２１は、入力装置１６に入力されたユーザの操作情報に基づいて、番組が選択されたか否かを判定する（ステップＳ１７）。所定の期間内に番組が選択されなかった場合（ステップＳ１７においてＮｏ）、メインコントローラ２１は、この処理を終了させる。
【００６１】
一方、番組が選択された場合（ステップＳ１７においてＹｅｓ）、メインコントローラ２１は、チューナ２２に選局すべきチャネルのチャネル情報を供給して、選択された番組を受信するように制御する（ステップＳ１８）。
【００６２】
メインコントローラ２１は、このような受信制御を行って、この読み出し処理を終了させる。
【００６３】
次に、図２に示す表示画面において、ユーザが入力装置１６を操作して、新規登録を選択すると、メインコントローラ２１は、この操作情報を受け付けて新規登録処理を実行する。この新規登録処理の内容を図４のフローチャートに基づいて説明する。
【００６４】
メインコントローラ２１は、入力装置１６に入力されたユーザの操作情報に基づいて、ユーザ名の入力があったか否かを判定する（ステップＳ２１）。
【００６５】
新規登録がキャンセルされた場合、あるいは、ユーザ名の入力が所定期間内になかった場合（ステップＳ２１においてＮｏ）、メインコントローラ２１は、この処理を終了させる。
【００６６】
ユーザ名の入力があった場合（ステップＳ２１においてＹｅｓ）、メインコントローラ２１は、外部メモリＩ／Ｆ２９を制御してユーザ名をメモリ１５に書き込む（ステップＳ２２）。
【００６７】
次に、メインコントローラ２１は、映像出力装置１４にＥＰＧを表示させる（ステップＳ２３）。
【００６８】
メインコントローラ２１は、入力装置１６に入力されたユーザの操作情報に基づいて、番組情報の入力があったか否かを判定する（ステップＳ２４）。
【００６９】
番組情報の入力がキャンセルされた場合、あるいは、番組情報の入力が所定期間内になかった場合（ステップＳ２４においてＮｏ）、メインコントローラ２１は、この処理を終了させる。
【００７０】
番組情報の入力があった場合（ステップＳ２４においてＹｅｓ）、メインコントローラ２１は、外部メモリＩ／Ｆ２９を制御して、入力されたユーザの番組情報をメモリ１５に書き込む（ステップＳ２５）。
【００７１】
ユーザの番組情報がメモリ１５に書き込まれると、メインコントローラ２１は、この新規登録処理を終了させる。
【００７２】
次に、図３のステップＳ１４において、ユーザの番組情報が未登録と判定した場合、あるいは、ユーザが図２に示す表示に従って入力装置１６を操作し、番組情報の更新を選択した場合、メインコントローラ２１は、この操作情報を受け付けて更新処理を実行する。この更新処理の内容を図５に示すフローチャートに基づいて説明する。
【００７３】
メインコントローラ２１は、映像出力装置１４にＥＰＧを表示させる（ステップＳ３１）。
【００７４】
メインコントローラ２１は、入力装置１６に入力されたユーザの操作情報に基づいて、新たな番組が選択されたか否かを判定する（ステップＳ３２）。
【００７５】
この処理がキャンセルされた場合、あるいは、新たな番組が所定期間内に選択されなかった場合（ステップＳ３２においてＮｏ）、メインコントローラ２１は、この処理を終了させる。
【００７６】
新たな番組が選択された場合（ステップＳ３２においてＹｅｓ）、メインコントローラ２１は、外部メモリＩ／Ｆ２９を制御して、メモリ１５に、ユーザの新たな番組情報を記憶させ、この番組情報を登録する（ステップＳ３３）。
【００７７】
メインコントローラ２１は、個別番組表を表示させる（ステップＳ３４）。メインコントローラ２１は、入力装置１６に入力されたユーザの操作情報に基づいて、番組が選択されたか否かを判定する（ステップＳ３５）。
【００７８】
個別番組表の表示がキャンセルされた場合、あるいは、所定期間内に番組が選択されなかった場合（ステップＳ３５においてＮｏ）、メインコントローラ２１は、この処理を終了させる。
【００７９】
番組が選択された場合（ステップＳ３５においてＹｅｓ）、メインコントローラ２１は、選択された番組情報の優先順位を更新する（ステップＳ３６）。メインコントローラ２１は、このような更新処理を実行して、この処理を終了させる。
【００８０】
次に、ユーザが、図２に示す表示に従って入力装置１６を操作し、登録削除を選択した場合、メインコントローラ２１は、この操作情報を受け付けて削除処理を実行する。この削除処理の内容を図６に示すフローチャートに基づいて説明する。
【００８１】
メインコントローラ２１は、外部メモリＩ／Ｆ２９を制御して、指定されたユーザ名をメモリ１５から削除する（ステップＳ４１）。
【００８２】
メインコントローラ２１は、外部メモリＩ／Ｆ２９を制御して、このユーザの番組情報をメモリ１５から削除する（ステップＳ４２）。そして、メインコントローラ２１は、この削除処理を終了させる。
【００８３】
次に、このメインコントローラ２１の動作をさらに具体的に説明する。
まず、ユーザＡが、番組情報未登録のメモリ１５を据え置き型のデジタル放送受信機１の外部メモリＩ／Ｆ２９に装着し、「新規登録」を選択した場合、メインコントローラ２１は、これに応答して、新規登録処理を実行する。
【００８４】
即ち、メインコントローラ２１は、ユーザ名の入力があれば、ユーザ名としてユーザＡをメモリ１５に書き込む（図４のステップＳ２２の処理）。
【００８５】
次に、メインコントローラ２１は、図７に示すようなＥＰＧを表示させる（ステップＳ２３の処理）。
【００８６】
ここで、ユーザＡが入力装置１６を操作して、例えば、チャネルＣＨ１の番組Ａ、チャネルＣＨ３の番組Ｉ、チャネルＣＨ４の番組Ｎを選択したとする。メインコントローラ２１は、これに応答して、この番組情報をメモリ１５に書き込む（ステップＳ２５に対応）。このようにして番組情報がメモリ１５に書き込まれる。
【００８７】
次に、ユーザＡが、図２に示す表示に従って入力装置１６を操作し、書き込まれた番組情報の更新を選択すると、メインコントローラ２１は、これに応答して、更新処理を実行する。
【００８８】
即ち、メインコントローラ２１は、図７に示すようなＥＰＧを表示させる（図５のステップＳ３１の処理）。
【００８９】
ユーザＡが新たな番組Ｍを選択すると、メインコントローラ２１は、この番組情報をメモリ１５に書き込む（ステップＳ３３の処理）。
【００９０】
メインコントローラ２１は、個別番組表を表示し、ユーザＡが再び、番組Ｍを選択すると、番組Ｍの優先順位を繰り上げる（ステップＳ３４〜Ｓ３６の処理）。
【００９１】
尚、番組情報の数に上限を設定しておくこともできる。上限を設定しておけば、番組情報の数が上限値に達している場合に新たな番組が選択されると、優先順位の最も低い番組情報は、メモリ１５から削除される。
【００９２】
次に、ユーザＡが、このメモリ１５を据え置き型のデジタル放送受信機１から取り外し、移動体向けのデジタル放送受信機１の外部メモリＩ／Ｆ２９に装着した場合、この外部メモリＩ／Ｆ２９はメモリ１５の装着を検知する。
【００９３】
ユーザＡが、個別番組表を表示させるように入力装置１６のＥＰＧキー１６１を操作すると、メインコントローラ２１は、これに応答して、読み出し処理を実行する。
【００９４】
即ち、メインコントローラ２１は、メモリ１５から、記憶されているすべてのユーザ名の一覧を読み出し、これを表示させる（図３のステップＳ１１，Ｓ１２の処理）。
【００９５】
選択されたユーザの番組情報が登録されていれば、メインコントローラ２１は、これを読み出し、図８に示すような個別番組表を作成して表示させる（ステップＳ１３〜１６の処理）。
【００９６】
図８に示すように、個別番組表は、優先順位の高い順から表示される。尚、番組情報が多く、１画面で表示できない場合、メインコントローラ２１は、２画面以上にわたって個別番組表を表示させる。
【００９７】
ここで、ユーザＡが番組名Ａを選択すれば、メインコントローラ２１は、チャネルＣＨ１のチャネル情報をチューナ２２に供給する。
【００９８】
チューナ１は、チャネルＣＨ１を選局する。そして、選局されたチャネル１の放送信号に基づいて番組Ａの映像と音声とが、それぞれ、映像出力装置１４、音声出力装置１３から出力される。
【００９９】
次に、ユーザＡが図２に示す表示に従って入力装置１６を操作し、登録削除を選択した場合、メインコントローラ２１は、これに応答して削除処理を実行する。
【０１００】
即ち、メインコントローラ２１は、指定されたユーザ名としてユーザＡをメモリ１５から削除し、ユーザＡの番組情報をすべてメモリ１５から削除する（図６のステップＳ４１，Ｓ４２の処理）。
【０１０１】
以上説明したように、本実施の形態によれば、メモリ１５に各ユーザの個別情報として、ユーザ名とユーザの番組情報とを対応させて記憶させ、ユーザ名が指定されると、そのユーザの番組情報を個別番組表にして表示するようにした。
【０１０２】
従って、ユーザ名を指定するだけで、図８に示すような個別番組表が表示され、各ユーザは、この個別番組表から番組を選択することができる。このため、各ユーザに好みの番組をより少ない操作で選択することができ、所望の番組を容易に選択することができる。また、入力装置１６を操作するだけで、容易に個別番組表を作成することができる。
【０１０３】
そして、複数の人が同じデジタル放送受信機１を共有した場合であっても、ＥＰＧよりも絞り込まれた個別番組表から番組を選択することができ、複数の人によって構成される家族が、同じデジタル放送受信機１を共有することもできる。
【０１０４】
また、メモリ１５が外部メモリＩ／Ｆ２９に着脱自在であるので、デジタル放送受信機１が据え置き型のものであっても、移動体型のものであっても、異なる受信機間で各ユーザに好みの番組情報を表示させることができる。
【０１０５】
従って、このメモリ１５に、よく視聴する番組の情報を据え置き型の受信機で登録し、好みの番組を絞り込んでおけば、表示画面が小さい移動体向けのデジタル放送受信機１にて選局操作を行ったとしても、少ない操作で番組を選択することができる。
【０１０６】
また、番組情報に優先順位を含めるようにしたので、ユーザがよく視聴する番組の優先順位は上昇し、この番組情報は、個別番組表の上位にランクされる。従って、よく視聴する番組の選択が容易になり、手動選局操作の手間は低減される。
【０１０７】
尚、本発明を実施するにあたっては、種々の形態が考えられ、上記実施の形態に限られるものではない。
例えば、本実施の形態では、メモリ１５は、外部メモリＩ／Ｆ２９に着脱自在なものとした。しかし、メモリ１５は、これに限られるものではなく、デジタル放送受信機１に内蔵されたメモリであってもよい。
【０１０８】
放送信号は、衛星放送、又は地上波放送のような無線によるものには限られず、有線によるものであってもよい。
【０１０９】
また、個別の番組情報の優先順位を、自動的に付与するだけでなく、ユーザ自身が手動で付与するように構成することもできる。また、番組情報に分かりやすい番組名（タイトル）を手動で付与することもできる。
【０１１０】
また、番組情報を読み出す際に、ユーザ名の代わりにユーザＩＤ等を用いることもできる。また、番組情報は、必ずしも、番組のタイトル、チャネル、放送日時、番組の優先順位の情報だけには限られず、例えば、番組情報にメモ等を含めることもできる。また、ＥＰＧを加工せずに、所謂アプリケーションフリー方式でＥＰＧを表示することもできる。
【０１１１】
【発明の効果】
以上説明したように、本発明によれば、所望の番組の容易に選択することができる。
【図面の簡単な説明】
【図１】本発明の実施の形態に係るデジタル放送受信機の構成を示すブロック図である。
【図２】図１の受像機に表示される表示例を示す説明図である。
【図３】図１のメインコントローラの読み出し処理の内容を示すフローチャートである。
【図４】図１のメインコントローラの新規登録処理の内容を示すフローチャートである。
【図５】図１のメインコントローラの更新処理の内容を示すフローチャートである。
【図６】図１のメインコントローラの削除処理の内容を示すフローチャートである。
【図７】図１の受像機に表示されるＥＰＧの表示例を示す説明図である。
【図８】図１の受像機に表示されるユーザ個別の番組情報の表示例を示す説明図である。
【符号の説明】
１    デジタル放送受信機
１１  電波受信装置
１２  放送信号処理部
１３  音声出力装置
１４  映像出力装置
１５  メモリ
１６  入力装置
２１  メインコントローラ
【図１】
2004242247.tif 000003
【図２】
2004242247.tif 000004
【図３】
2004242247.tif 000005
【図４】
2004242247.tif 000006
【図５】
2004242247.tif 000007
【図６】
2004242247.tif 000008
【図７】
2004242247.tif 000009
【図８】
2004242247.tif 000010